(57)【要約】      （修正有）【課題】可動部材が本体部内で占めるスペースが小さく、ガタが少ない小型の眼幅調整機構を有する双眼鏡を提供する。【解決手段】眼幅調整機構は、右および左接眼ユニット１０４Ｒ,１０４Ｌの回動中心軸を含む面を基準面とするとき、右接眼ユニット１０４Ｒのうち基準面よりも一方の側に設けられた連結部と左接眼ユニット１０４Ｌのうち基準面よりも他方の側に設けられた連結部とを連結する第１の連結部材１０７Ａと、右接眼ユニット１０４Ｒのうち基準面よりも他方の側に設けられた連結部と左接眼ユニット１０４Ｌのうち基準面よりも一方の側に設けられた連結部とを連結する第２の連結部材１０７Ｂとを有する。第１および第２の連結部材１０７Ａ,１０７Ｂは眼幅が変化しても光路内に侵入しないように配置されている。【選択図】図３
2019200367.tif 000002
【特許請求の範囲】
【請求項１】
右眼用および左眼用の対物光学系を含む本体部と、
右眼用および左眼用の接眼光学系をそれぞれ保持する右接眼ユニットおよび左接眼ユニットと、
前記右接眼ユニットおよび前記左接眼ユニットを前記本体部に対して互いに異なる回動中心軸回りで回動させて前記右眼用および左眼用の接眼光学系間の眼幅方向での間隔を変更する眼幅調整機構とを有し、
前記眼幅調整機構は、前記右および左接眼ユニットの前記回動中心軸を含む面を基準面とするとき、
前記右接眼ユニットのうち前記基準面よりも一方の側の連結部と前記左接眼ユニットのうち前記基準面よりも他方の側の連結部とを連結する第１の連結部材と、
前記右接眼ユニットのうち前記基準面よりも前記他方の側の連結部と前記左接眼ユニットのうち前記基準面よりも前記一方の側の連結部とを連結する第２の連結部材とを有し、
前記第１および第２の連結部材は、
前記右眼用および左眼用の対物光学系と前記右眼用および左眼用の接眼光学系との間に配置され、
前記間隔が最大と最小との間で変化しても前記右眼用および左眼用の対物光学系のそれぞれから前記右眼用および左眼用の接眼光学系への光路内に侵入しないように配置されていることを特徴する光学機器。
【請求項２】
前記右接眼ユニットおよび前記左接眼ユニットのそれぞれにおいて、前記第１の連結部材が連結される前記連結部と前記第２の連結部材が連結される前記連結部とが前記回動中心軸から等距離に配置されていることを特徴とする請求項１に記載の光学機器。
【請求項３】
前記第１および第２の連結部材のそれぞれと、前記右または左接眼ユニットの前記連結部との間に付勢部材が配置されていることを特徴とする請求項１または２に記載の光学機器。
【請求項４】
前記第１および第２の連結部材は、前記基準面よりも前記一方の側において延びる第１の部分と、該第１の部分に対して前記基準面よりも前記他方の側に曲がって延びる第２の部分とを有することを特徴とする請求項１から３のいずれか一項に記載の光学機器。
【請求項５】
前記光学機器は、前記第１の連結部材と前記第２の連結部材とが交差する位置よりも前記一方または他方の側に設けられた電池収納部をさらに有する双眼鏡であることを特徴とする請求項１から４のいずれか一項に記載の光学機器。
【発明の詳細な説明】
【技術分野】
【０００１】
本発明は、眼幅調整機構を有する光学機器（特に双眼鏡）に関する。
【背景技術】
【０００２】
双眼鏡には、右眼用および左眼用の対物光学系を保持した本体部に対して、右眼用および左眼用の接眼光学系を保持する右および左接眼ユニットを回動させることで、右眼用および左眼用の接眼光学系の左右の幅（眼幅）を変更できる眼幅調整機構を有するものがある。
【０００３】
特許文献１には、右および左接眼ユニットに一体に設けられた連動部（ギア部）を互いに噛み合わせることで、右および左接眼ユニットのうち一方を回動させると、他方も連動して回動して眼幅が変更される眼幅調整機構が開示されている。また、特許文献２には、右および左接眼ユニットのうち一方に設けられたギア部の回動を２つのアイドラギアを介して他方に設けられたギア部に伝達するように構成された眼幅調整機構が開示されている。さらに、特許文献３には、右眼用の対物および接眼光学系を保持する右鏡筒と、左眼用の対物および接眼光学系を保持する左鏡筒とをこれらを指示する部材に対して回動させて眼幅調整を行う眼幅調整機構が開示されている。この眼幅調整機構は、右鏡筒の下部と左鏡筒の上部と連結する連結部材（連動バー）を用い、右および左鏡筒のうち一方の鏡筒から他方の鏡筒に該一方の鏡筒とは反対回りの回動力を伝達する。
【先行技術文献】
【特許文献】
【０００４】
【特許文献１】特許第３７９４５１９号
【特許文献２】特開２００９−２８８６１２号公報
【特許文献３】実公平０７−０３３２０７号公報
【発明の概要】
【発明が解決しようとする課題】
【０００５】
しかしながら、特許文献１にて開示された眼幅調整機構では、可動部であるギア部が回動する領域が本体部内で占めるスペースが大きく、本体部内の電池収納部等との干渉を避けてギア部を配置する必要があるため、双眼鏡の大型化につながる。しかも、特許文献１，２にて開示された眼幅調整機構のようにギア部やアイドラギアを用いると、ギアに必要なバックラッシが眼幅調整機構を通じて接眼ユニットや鏡筒の回動方向でのガタを生じさせる。
【０００６】
また、特許文献３に示す双眼鏡では、各鏡筒は不用意に回動しないようにある程度強い保持力によってそれらの回動位置が保持されるように構成されている。このため、その保持力に打ち勝つことができる強度を連動レバーに与える必要がある。この結果、連動レバーを１本のみ用いた構成では、連動レバー自体や各鏡筒における連動レバーとの連結部が大型化し、双眼鏡の小型化が妨げられる。
【０００７】
本発明は、可動部材が本体部内で占めるスペースが小さく、ガタが少ない小型の眼幅調整機構を有する双眼鏡を提供する。
【課題を解決するための手段】
【０００８】
本発明の一側面としての双眼鏡は、右眼用および左眼用の対物光学系を含む本体部と、右眼用および左眼用の接眼光学系をそれぞれ保持する右接眼ユニットおよび左接眼ユニットと、右接眼ユニットおよび左接眼ユニットを本体部に対して互いに異なる回動中心軸回りで回動させて右眼用および左眼用の接眼光学系間の眼幅方向での間隔を変更する眼幅調整機構とを有する。眼幅調整機構は、右および左接眼ユニットの回動中心軸を含む面を基準面とするとき、右接眼ユニットのうち基準面よりも一方の側の連結部と左接眼ユニットのうち基準面よりも他方の側の連結部とを連結する第１の連結部材と、右接眼ユニットのうち基準面よりも前記他方の側の連結部と左接眼ユニットのうち基準面よりも一方の側の連結部とを連結する第２の連結部材とを有する。第１および第２の連結部材は、右眼用および左眼用の対物光学系と右眼用および左眼用の接眼光学系との間に配置され、上記間隔が最大と最小との間で変化しても右眼用および左眼用の対物光学系のそれぞれから右眼用および左眼用の接眼光学系への光路内に侵入しないように配置されていることを特徴する。
【発明の効果】
【０００９】
本発明によれば、可動部材である第１および第２の連動部材が本体部内で占めるスペースが小さく、ガタが少ない小型の眼幅調整機構を実現することができ、双眼鏡を小型化することができる。
【図面の簡単な説明】
【００１０】
【図１】実施例１の双眼鏡の上面断面図。
【図２】図１中のＡ−Ａ線に沿った断面図。
【図３】図１中のＢ−Ｂ線に沿った断面図。
【図４】実施例２の双眼鏡の断面図。
【図５】図４中のＨ−Ｈ線に沿った断面図。
【発明を実施するための形態】
【００１１】
以下、本発明の実施例について図面を参照しながら説明する。
【実施例１】
【００１２】
図１は、本発明の実施例１である光学機器としての双眼鏡の上から見たときの断面を示す。図２は、本実施例の双眼鏡を図１中のＡ−Ａ線に沿って切断したときの断面を示す。符号に付したＲは右眼用であることを示し、Ｌは左眼用であることを示す。また、以下の説明において、被観察体側を前側といい、それとは反対側を後側という。
【００１３】
本実施例の双眼鏡は、被観察体からの光が入射する右眼用の対物光学系１０１Ｒおよび左眼用の対物光学系１０１Ｌをそれぞれ保持した対物ユニット１０２Ｒおよび対物ユニット１０２Ｌと、これらを収容保持した本体部材１０３とを有する。対物ユニット１０２Ｒ，１０２Ｌおよび本体部材１０３により、双眼鏡の本体部１１０が構成される。ＯＲ，ＯＬはそれぞれ、対物光学系１０１Ｒ，１０１Ｌの光軸である。
【００１４】
また、双眼鏡は、右接眼ユニット１０４Ｒおよび左接眼ユニット１０４Ｌを有する。右および左接眼ユニット１０４Ｒ，１０４Ｌはそれぞれ、対物光学系１０１Ｒ，１０１Ｌの光軸０Ｌ，０Ｒを中心として回動可能に本体部１１０に取り付けられている。具体的には、本体部材１０３の後端面の右側と左側のそれぞれに保持穴部１０３ａが形成されている。そして、これら保持穴部１０３ａに右および左接眼ユニット１０４Ｒ，１０４Ｌの前端部１０４Ｒａ，１０４Ｌａが回動可能に挿入されて本体部材１０３内に突出した状態で右および左接眼ユニット１０４Ｒ，１０４Ｌが本体部材１０３により保持される。
【００１５】
右接眼ユニット１０４Ｒは、正立方光学系を構成するプリズム１０５Ｒと、右眼用の接眼光学系１０６Ｒとを保持している。左接眼ユニット１０４Ｌは、正立方光学系を構成するプリズム１０５Ｌと、左眼用の接眼光学系１０６Ｌとを保持している。ＯＲ′，ＯＬ′はそれぞれ、接眼光学系１０６Ｒ，１０６Ｌの光軸である。本実施例の双眼鏡は、接眼光学系１０６Ｒ，１０６Ｌの光軸のＯＲ′，ＯＬ′の左右方向（眼幅方向）の間隔、すなわち眼幅をユーザが自由に変更（調整）するための眼幅調整機構を有する。
【００１６】
眼幅調整機構について図３（ａ）〜（ｃ）を用いて説明する。図３（ａ）〜（ｃ）は本実施例の双眼鏡を図１中のＢ−Ｂ線に沿って切断したときの光軸方向視の断面を示し、（ａ）は眼幅が基準眼幅である状態を、（ｂ）は最大眼幅である状態を、（ｃ）は最小眼幅である状態をそれぞれ示している。
【００１７】
右および左接眼ユニット（以下、単に接眼ユニットという）１０４Ｒ，１０４Ｌのうち上述したように本体部材１０３内に突出した前端部１０４Ｒａ，１０４Ｌａにはそれぞれ、連結部としての連結軸部１０８Ｒ，１０８Ｒ′と連結軸部１０８Ｌ，１０８Ｌ′が設けられている。図３（ａ）〜（ｃ）において、ＲＰは対物光学系１０１Ｒ，Ｌの光軸ＯＲ，ＯＬ、すなわち接眼ユニット１０４Ｒ，１０４Ｌの回動中心軸を含む平面である基準面を示す。また、Ｒ，Ｌはそれぞれ基準面ＲＰに直交して対物光学系１０１Ｒ，１０１Ｌの光軸ОＲ，ОＬを通る垂線である。
【００１８】
連結軸部１０８Ｒ，１０８Ｌはともに基準面ＲＰよりも上側（一方の側）に設けられている。連結軸部１０８Ｒ′，１０８Ｌ′はともに基準面ＲＰよりも下側（他方の側）に設けられている。連結軸部１０８Ｒ，１０８Ｒ′は光軸ＯＲ（後述する回動中心軸）から等距離の位置に配置されている。連結軸部１０８Ｌ，１０８Ｌ′は光軸ＯＬ（回動中心軸）から等距離の位置に配置されている。
【００１９】
連結軸部１０８Ｒと連結軸部１０８Ｌ′との間には第１の連結部材１０７Ａが掛け渡されている。また、連結軸部１０８Ｌと連結軸部１０８Ｒ′との間には第２の連結部材１０７Ｂが掛け渡されている。第１および第２の連結部材１０７Ａ，１０７Ｂは基準面ＲＰ上において交差している。
【００２０】
より詳細に説明すると、第１の連結部材１０７Ａの一端部には連結長穴部１０７ａが、他端部には連結穴部１０７ｂが形成されている。連結長穴部１０７ａには連結軸部１０８Ｒが挿入され、連結穴部１０７ｂには連結軸部１０８Ｌ′が挿入されている。連結穴部１０７ｂと連結軸部１０８Ｌ′は、それらの間にはほとんどガタが生じないように径嵌合している。また、連結長穴部１０７ａ内におけるその長手方向一端面（右側の内端面）と連結軸部１０８Ｒとの間には、付勢部材としての圧縮コイルばね１０９Ｒが配置されている。圧縮コイルばね１０９Ｒは、連結長穴部１０７ａの長手方向他端面（左側の内端面）と連結軸部１０８Ｒとを圧接させる付勢力を発生して、連結長穴部１０７ａと連結軸部１０８Ｒとの間のガタを除去する。
【００２１】
第２の連結部材１０７Ｂの一端部には連結長穴部１０７ｃが、他端部には連結穴部１０７ｄが形成されている。連結長穴部１０７ｃには連結軸部１０８Ｌが挿入され、連結穴部１０７ｄには連結軸部１０８Ｒ′が挿入されている。連結穴部１０７ｄと連結軸部１０８Ｒ′は、それらの間にはほとんどガタが生じないように径嵌合している。また、連結長穴部１０７ｃ内におけるその長手方向一端面（左側の内端面）と連結軸部１０８Ｌとの間には、付勢部材としての圧縮コイルばね１０９Ｌが配置されている。圧縮コイルばね１０９Ｌは、連結長穴部１０７ｃの長手方向他端面（右側の内端面）と連結軸部１０８Ｌとを圧接させる付勢力を発生して、連結長穴部１０７ｃと連結軸部１０８Ｌとの間のガタを除去する。
【００２２】
このように、第１および第２の連結部材１０７Ａ，１０７Ｂは、対物光学系１０１Ｒ，１０１Ｌと接眼光学系１０６Ｒ，１０６Ｌとの間に配置されて接眼ユニット１０４Ｒ，１０４Ｌを連結している。
【００２３】
接眼ユニット１０４Ｒ，１０４Ｌのうち一方を図３（ａ）の基準眼幅の状態から図３（ｂ）に示す最大眼幅に向けて回動させると、第１の連結部材１０７Ａは矢印Ｃ方向に移動し、第２の連結部材１０７Ｂは矢印Ｄ方向にそれぞれ移動する。これにより、接眼ユニット１０４Ｒには互いに平行で逆方向の偶力Ｆａ，Ｆｂが作用し、接眼ユニット１０４Ｌにも互いに平行で逆方向の偶力（図示せず）が作用する。このため、両接眼ユニット１０４Ｒ，１０４Ｌはそれらの回動中心軸（ОＲ，ОＬ）回りで互いに円弧矢印で示す反対方向に回動して眼幅が広がる。
【００２４】
一方、接眼ユニット１０４Ｒ，１０４Ｌのうち一方を図３（ａ）の基準眼幅の状態から図３（ｃ）に示す最小眼幅に向けて回動させると、第１の連結部材１０７Ａは矢印Ｅ方向に移動し、第２の連結部材１０７Ｂは矢印Ｇ方向にそれぞれ移動する。これにより、接眼ユニット１０４Ｒには互いに平行で逆方向の偶力Ｆａ’，Ｆｂ’が作用し、接眼ユニット１０４Ｌにも互いに平行で逆方向の偶力（図示せず）が作用する。このため、両接眼ユニット１０４Ｒ，１０４Ｌは回動中心軸（ОＲ，ОＬ）回りで互いに円弧矢印で示す反対方向に回動して眼幅が狭まる。
【００２５】
前述したように付勢部材１０９Ｒ，１０９Ｌにより第１および第２の連結部材１０７Ａ，１０７Ｂと連結軸部１０８Ｒ，１０８Ｌとの間のガタは除去されている。これにより、眼幅調整を行うユーザの操作性を良好なものとし、スムーズな眼幅調整が可能となる。また、連結軸部１０８Ｒ，１０８Ｌと連結軸部１０８Ｒ′，１０８Ｌ′とを基準面ＲＰについておよび垂線Ｒ，Ｌの中央を通る線О’について対称な位置に設けることで、上述した偶力を作用させることができる。この結果、第１および第２の連結部材１０７Ａ，１０７Ｂが交差する位置が上下方向や左右方向に変位することを防止することができる。
【００２６】
さらに連結軸部１０８Ｒ，１０８Ｒ′，１０８Ｌ，１０８ＲＬ′はいずれも垂線Ｒ，Ｌの間の領域に設けられている。これにより、眼幅が最大眼幅と最小眼幅との間で変化しても、第１および第２の連結部材２０７Ａ，２０７Ｂが対物光学系１０１Ｒ，１０１Ｌのそれぞれから接眼光学系１０６Ｒ，１０６Ｌへの光路内に侵入しないようにすることができる。
【００２７】
本実施例によれば、第１および第２の連結部材１０７Ａ，Ｂを基準面ＲＰ上で交差するように配置したことで、基準面ＲＰよりも上側と下側の領域に大きな空きスペースを確保することができる。空きスペースは、本体部１１０内の各種部品や防振ユニット（図示せず）の電源となる電池を収納する電池収納部１５０（図３（ｃ）参照）の配置スペースとして利用することができる。また、本体部材１０３のうち該空きスペースに対向する部分を窪ませることで本体部１１０を小型化することもできる。
【００２８】
また、本実施例では、交差する第１および第２の連結部材１０７Ａ，１０７Ｂを用いて生じさせた偶力により左右の接眼ユニット１０４Ｒ，１０４Ｌを連動させて回動させる。これにより、１つの連結部材のみで左右の接眼ユニットを連動させる場合に比べて、よりスムーズに左右の接眼ユニット１０４Ｒ，１０４Ｌを回動させることができる。
【００２９】
さらに、接眼ユニット１０４Ｒ，１０４Ｌを回動させる際の引張りや圧縮の負荷（応力）を第１および第２の連結部材１０７Ａ，１０７Ｂの２つに分散することで、各連結部材に要求される強度を低減することができ、各連結部材の材料選択の自由度が増加する。
【００３０】
そして、付勢部材１０９Ｒ，１０９Ｌを用いて各連結部材と各接眼ユニットとの連結ガタを低減したので、眼幅調整時の操作性を向上させることができる。
【実施例２】
【００３１】
本発明の実施例２の双眼鏡における眼幅調整機構について、図４（ａ）〜（ｃ）を用いて説明する。図４（ａ）〜（ｃ）はそれぞれ、実施例１で説明した図３（ａ）〜（ｃ）に対応する図である。図４（ａ）〜（ｃ）において、図３（ａ）〜（ｃ）に示した構成要素と同じ構成要素には図３（ａ）〜（ｃ）と同符号を付している。
【００３２】
接眼ユニット１０４Ｒのうち基準面ＲＰより上側の部分に設けられた連結軸部１０８Ｒと接眼ユニット１０４Ｌのうち基準面ＲＰより下側の部分に設けられた連結軸部１０８Ｌ′との間には第１の連結部材２０７Ａが掛け渡されている。また、接眼ユニット１０４Ｌのうち基準面ＲＰより上側の部分に設けられた連結軸部１０８Ｌと接眼ユニット１０４Ｒのうち基準面ＲＰより下側の部分に設けられた連結軸部１０８Ｒ′との間には第２の連結部材２０７Ｂが掛け渡されている。
【００３３】
第１および第２の連結部材２０７Ａ，２０７Ｂはそれぞれ、基準面ＲＰよりも上側において左右方向に延びる第１の部分２０７Ａ１，  ２０７Ｂ１と、その端部（基準面ＲＰよりも上側）から基準面ＲＰよりも下側に曲がって延びる第２の部分２０７Ａ２，  ２０７Ｂ２とを有する。第１の部分２０７Ａ１，  ２０７Ｂ１と第２の部分２０７Ａ２，  ２０７Ｂ２との間を屈曲部という。第１および第２の連結部材２０７Ａ，２０７Ｂは、基準面ＲＰよりも上側において垂線Ｒ，Ｌの間にある屈曲部周辺において互いに交差している。
【００３４】
第１および第２の連結部材２０７Ａ，２０７Ｂの屈曲部には、ガイド溝部２０７ｅ，２０７ｆが形成されている。ガイド溝部２０７ｅ，２０７ｆには、図４中のＨ‐Ｈ断面を示す図５に示すようにガイドピン２１０が挿入されており、ガイドピン２１０は本体部材１０３に固定されている。
【００３５】
また、実施例１と同様に、第１の連結部材２０７Ａの一端部には連結長穴部２０７ａが、他端部には連結穴部２０７ｂが形成されている。連結長穴部２０７ａには接眼ユニット１０４Ｒの連結軸部１０８Ｒが挿入され、連結穴部２０７ｂには接眼ユニット１０４Ｌの連結軸部１０８Ｌ′が挿入されている。連結穴部２０７ｂと連結軸部１０８Ｌ′は、それらの間にはほとんどガタが生じないように径嵌合している。また、連結長穴部２０７ａ内におけるその長手方向一端面（右側の内端面）と連結軸部１０８Ｒとの間には、付勢部材としての圧縮コイルばね１０９Ｒが配置されている。圧縮コイルばね１０９Ｒは、連結長穴部２０７ａの長手方向他端面（左側の内端面）と連結軸部１０８Ｒとを圧接させる付勢力を発生して、連結長穴部２０７ａと連結軸部１０８Ｒとの間のガタを除去する。
【００３６】
さらに実施例１と同様に、第２の連結部材２０７Ｂの一端部には連結長穴部２０７ｃが、他端部には連結穴部２０７ｄが形成されている。連結長穴部２０７ｃには連結軸部１０８Ｌが挿入され、連結穴部２０７ｄには連結軸部１０８Ｒ′が挿入されている。連結穴部２０７ｄと連結軸部１０８Ｒ′は、それらの間にはほとんどガタが生じないように径嵌合している。また、連結長穴部２０７ｃ内におけるその長手方向一端面（左側の内端面）と連結軸部１０８Ｌとの間には、付勢部材としての圧縮コイルばね１０９Ｌが配置されている。圧縮コイルばね１０９Ｌは、連結長穴部２０７ｃの長手方向他端面（右側の内端面）と連結軸部１０８Ｌとを圧接させる付勢力を発生して、連結長穴部２０７ｃと連結軸部１０８Ｌとの間のガタを除去する。
【００３７】
本実施例でも、第１および第２の連結部材２０７Ａ，２０７Ｂは、対物光学系１０１Ｒ，１０１Ｌと接眼光学系１０６Ｒ，１０６Ｌとの間に配置されて接眼ユニット１０４Ｒ，１０４Ｌを連結している。
【００３８】
接眼ユニット１０４Ｒ，１０４Ｌのうち一方を図４（ａ）の基準眼幅の状態から図４（ｂ）に示す最大眼幅に向けて回動させると、第１の連結部材２０７Ａはそのガイド溝部２０７ｅがガイドピン２１０によりガイドされながら矢印Ｃ方向に移動する。また、第２の連結部材２０７Ｂはそのガイド溝部２０７ｆがガイドピン２１０によりガイドされながら矢印Ｄ方向に移動する。これにより、実施例１と同様に、接眼ユニット１０４Ｒには互いに平行で逆方向の偶力Ｆａ，Ｆｂが作用し、接眼ユニット１０４Ｌにも互いに平行で逆方向の偶力（図示せず）が作用する。このため、両接眼ユニット１０４Ｒ，１０４Ｌはそれらの回動中心軸（ОＲ，ОＬ）回りで互いに円弧矢印で示す反対方向に回動して眼幅が広がる。
【００３９】
一方、接眼ユニット１０４Ｒ，１０４Ｌのうち一方を図４（ａ）の基準眼幅の状態から図４（ｃ）に示す最小眼幅に向けて回動させると、第１の連結部材２０７Ａはガイド溝部２０７ｅがガイドピン２１０によりガイドされながら矢印Ｅ方向に移動する。また、第２の連結部材２０７Ｂはガイド溝部２０７ｆがガイドピン２１０によりガイドされながら矢印Ｇ方向に移動する。これにより、接眼ユニット１０４Ｒには互いに平行で逆方向の偶力Ｆａ’，Ｆｂ’が作用し、接眼ユニット１０４Ｌにも互いに平行で逆方向の偶力（図示せず）が作用する。このため、両接眼ユニット１０４Ｒ，１０４Ｌは回動中心軸（ОＲ，ОＬ）回りで互いに円弧矢印で示す反対方向に回動して眼幅が狭まる。
【００４０】
実施例１と同様に、付勢部材１０９Ｒ，１０９Ｌにより第１および第２の連結部材２０７Ａ，２０７Ｂと連結軸部１０８Ｒ，１０８Ｌとの間のガタは除去されている。これにより、眼幅調整を行うユーザの操作性を良好なものとし、スムーズな眼幅調整が可能となる。また、連結軸部１０８Ｒ，１０８Ｌと連結軸部１０８Ｒ′，１０８Ｌ′とを基準面ＲＰについておよび垂線Ｒ，Ｌの中央を通る線О’について対称な位置に設けることで、上述した偶力を作用させることができる。この結果、第１および第２の連結部材２０７Ａ，２０７Ｂが交差する位置が上下方向や左右方向に変位することを防止することができる。
【００４１】
図５に示すように、ガイドピン２１０における光軸方向両側に設けられた２つの頭部２１０ａ，２１０ｂが第１および第２の連結部材２０７Ａ，２０７Ｂの屈曲部を挟み込んでいる。このため、接眼ユニット１０４Ｒ，１０４Ｌの回動時に第１および第２の連結部材２０７Ａ，２０７Ｂにこれらを光軸方向に撓ませるような力が作用しても、それらの撓みは防止される。
【００４２】
さらに実施例１と同様に、連結軸部１０８Ｒ，１０８Ｒ′，１０８Ｌ，１０８ＲＬ′はいずれも垂線Ｒ，Ｌの間の領域に設けられている。これにより、眼幅が最大眼幅と最小眼幅との間で変化しても、第１および第２の連結部材２０７Ａ，２０７Ｂが対物光学系１０１Ｒ，１０１Ｌのそれぞれから接眼光学系１０６Ｒ，１０６Ｌへの光路内に侵入しないようにすることができる。
【００４３】
そして本実施例では、第１および第２の連結部材２０７Ｒ，２０７Ｌとの交差部（屈曲部）を基準面ＲＰよりも上側に配置している。これにより、実施例１に比べて基準面ＲＰよりも下側の領域に空きスペースを大きく確保することができ、この空きスペースに本体部１１０内の部品や電池収納部１５０を配置する場合に実施例１よりも本体部１１０の上下方向の厚みを小さくすることができる。
【００４４】
なお、本実施例では、第１および第２の連結部材２０７Ａ，２０７Ｂの第１の部分２０７Ａ１，２０７Ｂ１を基準面ＲＰよりも上側に設けた場合について説明した。しかし、第１の部分を基準面よりも下側に設け、第２の部分が基準面より下側から上側に接眼ユニットに向かって延びるようにしてもよい。これにより、基準面よりも上側に、実施例１よりも大きな空きスペースを確保することができる。
【００４５】
また、実施例１，２では、付勢部材１０９Ｒ，１０９Ｌとして圧縮コイルばねを用いる場合について説明したが、第１および第２の連結部材に一体に設けた板ばねを用いてもよい。また、実施例１，２では、接眼ユニット１０４Ｒ，１０４Ｌの前端部に連結軸部１０８Ｒ，１０８Ｒ’，１０８Ｌ，１０８Ｌ’を設けた場合について説明した。しかし、接眼ユニットの前端部に枠部材を設け、その枠部材に連結軸部が設けられていてもよい。この場合、接眼ユニットに連結軸部が直接設けられた場合と等価である。
【００４６】
さらに実施例１，２では、第１および第２の連結部材１０７（２０７）Ａ，１０７（２０７）Ｂに連結穴部や連結長穴部を設け、接眼ユニット１０４Ｒ，１０４Ｌに連結軸部を設けた場合について説明した。しかし、第１および第２の連結部材に連結軸部を設け、接眼ユニットに連結穴部や連結長穴部を設けてもよい。この場合、付勢部材は接眼ユニットに設けられる。
【００４７】
以上説明したように、実施例１，２によれば、第１および第２の連動部材が本体部内で占めるスペースが小さく、ガタが少ない小型の眼幅調整機構を実現することができ、双眼鏡を小型化することができる。
【００４８】
以上説明した各実施例は代表的な例にすぎず、本発明の実施に際しては、各実施例に対して種々の変形や変更が可能である。
【００４９】
例えば、前述した各実施例では光学機器として双眼鏡を例として説明したが、双眼鏡以外に顕微鏡等の光学機器に各実施例で説明した構成と同様の構成を適用してもよい。
【符号の説明】
【００５０】
１０１Ｌ,１０１Ｒ  対物光学系
１０４Ｌ,１０４Ｒ  接眼ユニット
１０６Ｌ,１０６Ｒ  ・・・・  接眼光学系
１０７Ａ,２０７Ａ  第１の連結部材
１０７Ｂ,２０７Ｂ  第２の連結部材
１１０  本体部
【図１】
2019200367.tif 000003
【図２】
2019200367.tif 000004
【図３】
2019200367.tif 000005
【図４】
2019200367.tif 000006
【図５】
2019200367.tif 000007